(57)【要約】【課題】複数のステータスを用いてカードの発券状態を管理するバリュー保持カード発券管理サーバを提供すること。【解決手段】バリュー保持カードを一意に識別するカード識別情報の情報が第１のステータスおよび第２のステータスと共にレコード単位で記録されるカード情報記録部と、カード情報記録部に記録されている任意のカード識別情報の第１のステータスを有効に登録する第１ステータス登録部と、第２のステータスを有効に登録する要求に応じて、第１のステータスが有効であるカード識別情報のレコードに限り該第２のステータスを有効に登録する第２ステータス登録部と、バリュー保持カードの使用許可要求を受けると第１のステータスと第２のステータスとを確認し、第１のステータスと第２のステータスがいずれも有効である場合に限りカードの使用を許可するステータス確認部と、を含む、バリュー保持カード発券管理サーバが提供される。【選択図】図１
2010055208.tif 000002
【特許請求の範囲】
【請求項１】
バリュー保持カードを一意に識別するカード識別情報の情報が第１のステータスおよび第２のステータスと共にレコード単位で記録されるカード情報記録部と、
前記カード情報記録部に記録されている任意のカード識別情報の第１のステータスを有効に登録する第１ステータス登録部と、
前記第２のステータスを有効に登録する要求に応じて、前記第１のステータスが有効であるカード識別情報のレコードに限り該第２のステータスを有効に登録する第２ステータス登録部と、
バリュー保持カードの使用許可要求を受けると該バリュー保持カードに対応するレコードの前記第２のステータスを確認し、前記第２のステータスが有効である場合に限りカードの使用を許可するステータス確認部と、
を含む、バリュー保持カード発券管理サーバ。
【請求項２】
前記第２ステータス登録部は、前記第１のステータスが有効でないカード識別情報に対して前記第２のステータスを有効に登録する要求があった旨を要求元に対して通知する、請求項１に記載のバリュー保持カード発券管理サーバ。
【請求項３】
バリュー保持カードを一意に識別するカード識別情報の情報が第１のステータスおよび第２のステータスと共にレコード単位で記録されるカード情報記録部に記録されている任意のカード識別情報の第１のステータスを有効に登録する第１ステータス登録ステップと、
前記第２のステータスを有効に登録する要求に応じて、前記第１のステータスが有効であるカード識別情報のレコードに限り該第２のステータスを有効に登録する第２ステータス登録ステップと、
バリュー保持カードのカード使用許可要求を受けると該バリュー保持カードに対応するレコードの前記第２のステータスを確認し、前記第２のステータスが有効である場合に限りカードの使用を許可するステータス確認ステップと、
を含む、バリュー保持カード発券管理方法。
【請求項４】
バリュー保持カードを一意に識別するカード識別情報の情報が第１のステータスおよび第２のステータスと共にレコード単位で記録されるカード情報記録部に記録されている任意のカード識別情報の第１のステータスを有効に登録する第１ステータス登録ステップと、
前記第２のステータスを有効に登録する要求に応じて、前記第１のステータスが有効であるカード識別情報のレコードに限り該第２のステータスを有効に登録する第２ステータス登録ステップと、
バリュー保持カードのカード使用許可要求を受けると該バリュー保持カードに対応するレコードの前記第２のステータスを確認し、前記第２のステータスが有効である場合に限りカードの使用を許可するするステータス確認ステップと、
をコンピュータに実行させる、コンピュータプログラム。
【請求項５】
バリュー保持カード発券管理サーバと、
バリュー保持カード製造管理サーバと、
カードリーダライタと、
を含み、
前記バリュー保持カード発券管理サーバは、
バリュー保持カードを一意に識別するカード識別情報の情報が第１のステータスおよび第２のステータスと共にレコード単位で記録されるカード情報記録部と、
前記バリュー保持カード製造管理サーバからの要求に応じて、前記カード情報記録部に記録されている任意のカード識別情報の第１のステータスを有効に登録する第１ステータス登録部と、
前記バリュー保持カード製造管理サーバからの前記第２のステータスを有効に登録する要求に応じて、前記第１のステータスが有効であるカード識別情報のレコードに限り該第２のステータスを有効に登録する第２ステータス登録部と、
前記カードリーダライタからのバリュー保持カードのカード使用許可要求を受けると、該バリュー保持カードに対応するレコードの前記第２のステータスを確認し、前記第２のステータスが有効である場合に限りカードの使用を許可するステータス確認部と、
を含み、
前記バリュー保持カード製造管理サーバは、
前記バリュー保持カード発券管理サーバにバリュー保持カードのカード識別情報の割当を要求する割当要求部と、
前記バリュー保持カード発券管理サーバから割り当てられたカード識別情報を保持する識別情報保持部と、
割り当てられたカード識別情報が含まれるバリュー保持カードの製造を前記バリュー保持カード発券管理サーバに通知する製造通知部と、
を含み、
前記カードリーダライタは、バリュー保持カードとの間の近接非接触通信の開始時にバリュー保持カードのステータスを前記バリュー保持カード発券管理サーバに確認する、バリュー保持カード発券管理システム。
【発明の詳細な説明】
【技術分野】
【０００１】
本発明は、バリュー保持カード発券管理サーバ、バリュー保持カード発券管理方法、コンピュータプログラムおよびバリュー保持カード発券管理システムに関する。
【背景技術】
【０００２】
プリペイドカードやギフトカード等のように、金額情報やポイント情報（以下これらの情報を総称して「バリュー」とも称する）を保持したカードが広く普及している。このようなカードにバリューを持たせる場合、カード自体にバリューを持たせる方法と、バリューをセンター等で一括管理する方法とがある。前者は「Ｓｔｏｒｅｄ  Ｖａｌｕｅ型」または「Ｏｆｆｌｉｎｅ型」と称され、後者は「Ｏｎｌｉｎｅ型」とも称される。Ｏｎｌｉｎｅ型の例としては例えば特許文献１に記載されている。
【０００３】
【特許文献１】特開平１０−１４３５７７号公報
【発明の開示】
【発明が解決しようとする課題】
【０００４】
しかし、バリューを保持したカードについては以下のような問題があった。
【０００５】
（１）Ｓｔｏｒｅｄ  Ｖａｌｕｅ型（Ｏｆｆｌｉｎｅ型）の場合
Ｓｔｏｒｅｄ  Ｖａｌｕｅ型（Ｏｆｆｌｉｎｅ型）では、カード製造業者が誤って製造して発券してしまったカードが市場に出ても、利用を自動的に止める方法が無い。具体的には、カード製造業者の発券ミスにより、同一カード番号のカードが複数枚、市場に出ることがある。Ｓｔｏｒｅｄ  Ｖａｌｕｅ型（Ｏｆｆｌｉｎｅ型）では、カード自体にバリューを有しているので、当該カードの利用者は問題なくカードを使用することができるが、カードを発行したり、そのカードを利用したりする店舗では、実際は複数の利用者が使っているのに、カード番号が同一であるために、１人の利用者が使っているように情報が生成されてしまう。このため、複数のカードの使用による情報のバッティングが発生する問題が生じる。
【０００６】
（２）Ｏｎｌｉｎｅ型の場合
一方Ｏｎｌｉｎｅ型では、一般的に、バリューアカウントとカード番号とを紐付けてバリューを管理している。従って、同一カード番号のカードが複数枚、市場に出てしまった場合に、センター管理している１つのバリューアカウントに対して複数の利用者がアクセスできてしまうことになり、自分が入金したものを他人に使われてしまう等、利用に支障をきたす問題が生じる。
【０００７】
そこで、本発明は、上記問題に鑑みてなされたものであり、本発明の目的とするところは、誤って製造されたカードが市場に出回ったとしても、当該カードの使用を容易に停止させることが可能な、新規かつ改良されたバリュー保持カード発券管理サーバ、バリュー保持カード発券管理方法、コンピュータプログラムおよびバリュー保持カード発券管理システムを提供することにある。
【課題を解決するための手段】
【０００８】
上記課題を解決するために、本発明のある観点によれば、バリュー保持カードを一意に識別するカード識別情報の情報が第１のステータスおよび第２のステータスと共にレコード単位で記録されるカード情報記録部と、カード情報記録部に記録されている任意のカード識別情報の第１のステータスを有効に登録する第１ステータス登録部と、第２のステータスを有効に登録する要求に応じて、第１のステータスが有効であるカード識別情報のレコードに限り該第２のステータスを有効に登録する第２ステータス登録部と、バリュー保持カードの使用許可要求を受けると該バリュー保持カードに対応するレコードの第２のステータスを確認し、前記第２のステータスが有効である場合に限りカードの使用を許可するステータス確認部と、を含む、バリュー保持カード発券管理サーバが提供される。
【０００９】
かかる構成によれば、カード情報記録部にはバリュー保持カードを一意に識別するカード識別情報の情報が第１のステータスおよび第２のステータスと共にレコード単位で記録され、第１ステータス登録部はカード情報記録部に記録されている任意のカード識別情報の第１のステータスを有効に登録し、第２ステータス登録部は第２のステータスを有効に登録する要求に応じて、第１のステータスが有効であるカード識別情報のレコードに限り該第２のステータスを有効に登録する。そして、ステータス確認部は、バリュー保持カードの使用許可要求を受けると該バリュー保持カードに対応するレコードの第２のステータスを確認し、第２のステータスが有効である場合に限りカードの使用を許可する。その結果、２つのステータスによってバリュー保持カードの有効・無効を判断することによって、誤って製造されたカードが市場に出回ったとしても、当該カードの使用を容易に停止させることができる。
【００１０】
第２ステータス登録部は、第１のステータスが有効でないカード識別情報に対して第２のステータスを有効に登録する要求があった旨を要求元に対して通知するようにしてもよい。
【００１１】
また、上記課題を解決するために、本発明の別の観点によれば、バリュー保持カードを一意に識別するカード識別情報の情報が第１のステータスおよび第２のステータスと共にレコード単位で記録されるカード情報記録部に記録されている任意のカード識別情報の第１のステータスを有効に登録する第１ステータス登録ステップと、第２のステータスを有効に登録する要求に応じて、第１のステータスが有効であるカード識別情報のレコードに限り該第２のステータスを有効に登録する第２ステータス登録ステップと、バリュー保持カードのカード使用許可要求を受けると該バリュー保持カードに対応するレコードの第２のステータスを確認し、第２のステータスが有効である場合に限りカードの使用を許可するステータス確認ステップと、を含む、バリュー保持カード発券管理方法が提供される。
【００１２】
また、上記課題を解決するために、本発明の別の観点によれば、バリュー保持カードを一意に識別するカード識別情報の情報が第１のステータスおよび第２のステータスと共にレコード単位で記録されるカード情報記録部に記録されている任意のカード識別情報の第１のステータスを有効に登録する第１ステータス登録ステップと、第２のステータスを有効に登録する要求に応じて、第１のステータスが有効であるカード識別情報のレコードに限り該第２のステータスを有効に登録する第２ステータス登録ステップと、バリュー保持カードのカード使用許可要求を受けると該バリュー保持カードに対応するレコードの第２のステータスを確認し、第２のステータスが有効である場合に限りカードの使用を許可するステータス確認ステップと、をコンピュータに実行させる、コンピュータプログラムが提供される。
【００１３】
また、上記課題を解決するために、本発明の別の観点によれば、バリュー保持カード発券管理サーバと、バリュー保持カード製造管理サーバと、カードリーダライタと、を含み、バリュー保持カード発券管理サーバは、バリュー保持カードを一意に識別するカード識別情報の情報が第１のステータスおよび第２のステータスと共にレコード単位で記録されるカード情報記録部と、バリュー保持カード製造管理サーバからの要求に応じて、カード情報記録部に記録されている任意のカード識別情報の第１のステータスを有効に登録する第１ステータス登録部と、バリュー保持カード製造管理サーバからの第２のステータスを有効に登録する要求に応じて、第１のステータスが有効であるカード識別情報のレコードに限り該第２のステータスを有効に登録する第２ステータス登録部と、カードリーダライタからのバリュー保持カードのカード使用許可要求を受けると、該バリュー保持カードに対応するレコードの第２のステータスを確認し、第２のステータスが有効である場合に限りカードの使用を許可するステータス確認部と、を含み、バリュー保持カード製造管理サーバは、バリュー保持カード発券管理サーバにバリュー保持カードのカード識別情報の割当を要求する割当要求部と、バリュー保持カード発券管理サーバから割り当てられたカード識別情報を保持する識別情報保持部と、割り当てられたカード識別情報が含まれるバリュー保持カードの製造をバリュー保持カード発券管理サーバに通知する製造通知部と、を含み、カードリーダライタは、バリュー保持カードとの間の近接非接触通信の開始時にバリュー保持カードのステータスをバリュー保持カード発券管理サーバに確認する、バリュー保持カード発券管理システムが提供される。
【発明の効果】
【００１４】
以上説明したように本発明によれば、複数のステータスを用いてカードの発券状態を管理することで、誤って製造されたカードが市場に出回ったとしても、当該カードの使用を停止させることが可能な、新規かつ改良されたバリュー保持カード発券管理サーバ、バリュー保持カード発券管理方法、コンピュータプログラムおよびバリュー保持カード発券管理システムを提供することができる。
【発明を実施するための最良の形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
また、以下の順序に従って本発明の好適な実施の形態について詳細に説明する。
〔１〕バリュー保持カード発券管理システムの構成
〔２〕バリュー保持カード発券管理サーバの構成
〔３〕バリュー保持カード製造管理サーバの構成
〔４〕バリュー保持カード管理システムの動作の流れ
【００１７】
〔１〕バリュー保持カード発券管理システムの構成
まず、本発明の一実施形態にかかるバリュー保持カード発券管理サーバを用いたバリュー保持カード発券管理システムの構成について説明する。図１は、本発明の一実施形態にかかるバリュー保持カード管理システム１の構成について説明する説明図である。以下、図１を用いて本発明の一実施形態にかかるバリュー保持カード管理システム１の構成について説明する。
【００１８】
本発明の一実施形態にかかるバリュー保持カード管理システム１は、バリュー保持カードに保持されるバリューを、中央で一括管理する事業者（バリューイシュア）と、バリュー保持カードを製造する事業者（カード製造業者）と、バリューが保持可能なバリュー保持カードを発行する事業者（カードイシュア）との間で構築されるシステムである。図１に示したように、本発明の一実施形態にかかるバリュー保持カード管理システム１は、バリュー保持カード発券管理サーバ１００と、バリュー保持カード製造管理サーバ１２０と、バリュー保持カード発行管理サーバ１４０と、カードリーダライタ（Ｒ／Ｗ）１６０と、を含んで構成される。図１には特に図示しないが、各サーバ間、およびバリュー保持カード発券管理サーバ１００とカードリーダライタ１６０との間はネットワークで接続され、相互に通信できるように構成されている。
【００１９】
バリュー保持カード発券管理サーバ１００は、主にバリュー保持カードに保持されるバリューを、中央で一括管理する事業者（バリューイシュア）に設置されるサーバである。なお、本実施形態においては、バリューを中央で一括管理するＯｎｌｉｎｅ型を前提としているが、本発明はＯｎｌｉｎｅ型に限られず、Ｓｔｏｒｅｄ  Ｖａｌｕｅ型（Ｏｆｆｌｉｎｅ型）にも適用可能である。
【００２０】
バリュー保持カード製造管理サーバ１２０は、主にバリューが保持可能なバリュー保持カードを製造する事業者（カード製造業者）に設置されるサーバである。また、バリュー保持カード発行管理サーバ１４０は、バリューが保持可能なバリュー保持カードを発行する事業者（カードイシュア）に設置されるサーバである。
【００２１】
カードイシュアがバリュー保持カードを発行する際には、まずカード製造業者にカードの製造を依頼する。カードイシュアからカードの製造依頼を受けたカード製造業者は、バリューイシュアに対してカード番号の割り当てを要求する。カード製造業者からカード番号の割り当てを要求されたバリューイシュアは、カード製造業者が製造するカードに割り当てるカード番号を決定し、カード番号の割り当てを要求したカード製造業者にカード番号を割り当てる。そして、カード番号が割り当てられたカード製造業者は、割り当てられたカード番号の情報が含まれたカードを製造し、製造したカードをカードイシュアに納入する。カードイシュアは、カード製造業者から納入されたカードを利用者に配布することで、バリュー保持カード１５０を市場に流通させることが出来る。
【００２２】
上述したように、従来においては、カード番号が割り当てられたカード製造業者が割り当てられたカード番号の情報が含まれたカードを製造する際に、誤って割り当てられていないカード番号の情報が含まれたカードを製造してしまい、製造ミスのカードが市場に流通してしまうと、Ｏｎｌｉｎｅ型のバリュー保持カードの場合には同一のカード番号の情報が含まれたカードが複数の利用者の手に渡る可能性があり、そのようなカードの使用を自動的に停止することはできなかった。
【００２３】
そこで、本実施形態においては、カード番号の割り当てを要求したカード製造業者に対してバリューイシュアがカード番号を割り当てる際に、バリュー保持カード発券管理サーバ１００において、割り当ての対象となるカード番号に対して、本発明の第１のステータスの一例である「発番ステータス」を有効に設定する。そして、カード製造業者がカードを製造すると、製造したカードのカード番号の情報をバリューイシュアに通知し、バリューイシュアはバリュー保持カード発券管理サーバ１００において、カード製造業者が製造したカードのカード番号に対して、本発明の第２のステータスの一例である「発券ステータス」を有効に設定する。
【００２４】
そして、発券ステータスを有効に設定する際には、発番ステータスが有効であるカード番号のみに対して発券ステータスを有効に設定する。バリュー保持カードが市場に流通し、利用者がバリュー保持カード１５０を使用する際には、カードリーダライタ１６０からネットワーク１７０を介して、バリュー保持カード発券管理サーバ１００で管理する発番ステータスおよび発券ステータスを確認し、いずれも有効になっている場合に限り、当該バリュー保持カードの使用を許可する。このように、バリュー保持カード発券管理サーバ１００でステータスを管理し、Ｏｎｌｉｎｅ型のバリュー保持カードを使用する際には、カードリーダライタ１６０からバリュー保持カード発券管理サーバ１００へステータスを確認させることで、製造ミスがによって製造されてしまったカードが市場に流通したとしても、そのカードの使用を自動的に停止することができる。
【００２５】
以上、本発明の一実施形態にかかるバリュー保持カード管理システム１の構成について説明した。次に、本発明の一実施形態にかかるバリュー保持カード管理システム１に含まれる、バリュー保持カード発券管理サーバ１００の構成について説明する。
【００２６】
〔２〕バリュー保持カード発券管理サーバの構成
図２は、本発明の一実施形態にかかるバリュー保持カード発券管理サーバ１００の構成について説明する説明図である。以下、図２を用いて本発明の一実施形態にかかるバリュー保持カード発券管理サーバ１００の構成について説明する。
【００２７】
図２に示したように、本発明の一実施形態にかかるバリュー保持カード発券管理サーバ１００は、通信部１０２と、ステータス管理部１０４と、バリュー管理部１０６と、バリュー管理データベース１０８と、を含んで構成される。
【００２８】
通信部１０２は、他の装置との間でデータの送受信を行うものである。通信部１０２は、受信したデータの内容に応じて、受信したデータをステータス管理部１０４またはバリュー管理部１０６に送る。例えば、バリュー保持カード製造管理サーバ１２０から、本発明のカード識別情報の一例であるカード番号について、新規に割り当てを依頼する情報が送信されてきた場合には、当該情報をステータス管理部１０４に送る。また例えば、カードリーダライタ１６０からバリュー保持カード１５０のステータス確認に関する情報が送信されてきた場合には、当該情報をバリュー管理部１０６に送る。
【００２９】
ステータス管理部１０４は、本発明の第１ステータス登録部および第２ステータス登録部の一例であり、バリュー保持カード発券管理サーバ１００で管理する、カード番号ごとのステータス管理を行うものである。例えば、バリュー保持カード製造管理サーバ１２０から送られてきたカード番号の割り当て依頼に関する情報を受け取ると、バリュー管理データベース１０８に登録されているカード番号の中から、割り当て対象のカード番号を取得する。割り当て対象のカード番号を取得する際には、ステータス管理部１０４は割り当てられたカード番号に関する情報を登録する。そして、ステータス管理部１０４は、割り当て依頼を送信してきたバリュー保持カード製造管理サーバ１２０に対して、通信部１０２を介して取得したカード番号の情報を送信する。また、バリュー保持カード製造管理サーバ１２０から送られてきたカード製造情報を受け取ると、バリュー管理データベース１０８に、製造されたカードのカード番号に関する情報を登録する。
【００３０】
ステータス管理部１０４は、カード番号の割り当て依頼に関する情報を受け取って、バリュー管理データベース１０８に登録されているカード番号の中から割り当て対象のカード番号を取得する際に、取得したカード番号が記録されているレコードに対して「発番ステータス」を有効に設定する。本実施形態においては、発番ステータスにフラグとして１（有効）をセットすることで、取得したカード番号のレコードに対して発番ステータスを有効に設定する。
【００３１】
また、ステータス管理部１０４は、カード製造情報を受け取って、バリュー管理データベース１０８に製造されたカードのカード番号に関する情報を登録する際に、当該カード番号が記録されているレコードに対して「発券ステータス」を有効に設定する。発券ステータスを有効に設定する際には、発番ステータスが有効に設定されているレコードに対してのみ、発券ステータスを有効に設定する。本実施形態においては、発番ステータスに１がセットされているレコードに対してのみ、発券ステータスにフラグとして１（有効）をセットすることで、当該レコードのカード番号に対して発券ステータスを有効に設定する。
【００３２】
バリュー管理部１０６は、本発明のステータス確認部の一例であり、通信部１０２が受信した、カードリーダライタ１６０からバリュー保持カード１５０のステータス確認に関する情報に基づいて、バリュー管理データベース１０８への情報の確認や登録を行うものである。本実施形態においては、カードリーダライタ１６０からバリュー保持カード１５０のステータス確認に関する情報がバリュー保持カード発券管理サーバ１００に送信されてくると、バリュー管理部１０６が、バリュー管理データベース１０８に記録されている当該カード番号のレコードに対して発番ステータスと発券ステータスのいずれもが１（有効）にセットされているか確認する。そして、確認の結果、発番ステータスと発券ステータスのいずれもが１である場合に限り、バリュー管理部１０６はカードリーダライタ１６０に対して、当該バリュー保持カード１５０が有効なカードである旨を通知する。
【００３３】
バリュー管理データベース１０８は、本発明のカード情報記録部の一例であり、カード番号単位でデータを管理するためのデータベースである。バリュー管理データベース１０８で管理するデータは、上述してきた発番ステータスや発券ステータスの他、当該カード番号のバリューの残高等の情報を管理していてもよい。図３は、本発明の一実施形態にかかるバリュー管理データベース１０８のデータ構造について示す説明図である。図３に示したように、本発明の一実施形態にかかるバリュー管理データベース１０８は、カードを一意に識別するためのカードＩＤ、カードの券面に表記されるカード番号、発番ステータスおよび発券ステータスの情報が格納されるカラムが設定されている。
【００３４】
なお、本発明においては、バリュー管理データベースのデータ構造は図３に示したものに限られないことは言うまでも無い。例えば、発番ステータスおよび発券ステータスを、１つのカラムで管理するようなデータ構造であってもよい。
【００３５】
以上、本発明の一実施形態にかかるバリュー保持カード発券管理サーバ１００の構成について説明した。次に、本発明の一実施形態にかかるバリュー保持カード製造管理サーバ１２０の構成について説明する。
【００３６】
〔３〕バリュー保持カード製造管理サーバの構成
図４は、本発明の一実施形態にかかるバリュー保持カード製造管理サーバ１２０の構成について説明する説明図である。以下、図４を用いて本発明の一実施形態にかかるバリュー保持カード製造管理サーバ１２０の構成について説明する。
【００３７】
図４に示したように、本発明の一実施形態にかかるバリュー保持カード製造管理サーバ１２０は、通信部１２２と、番号割当要求部１２４と、番号保持部１２６と、製造通知部１２８と、を含んで構成される。
【００３８】
通信部１２２は、他の装置との間でデータの送受信を行うものである。例えば、番号割当要求部１２４がカード番号の新規割り当てをバリュー保持カード発券管理サーバ１００に対して要求した場合には、新規割り当て要求に関する情報を通信部１２２からバリュー保持カード発券管理サーバ１００へ送出する。そして、割り当てられたカード番号の情報がバリュー保持カード発券管理サーバ１００から返信されてくると、その情報を通信部１２２で受信し、番号割当要求部１２４へと送る。
【００３９】
番号割当要求部１２４は、本発明の割当要求部の一例であり、カードの新規発行がカードイシュアからカード製造者に依頼されて、カード番号の新規割り当てをバリュー保持カード発券管理サーバ１００に対して要求する際に、新規割り当て要求に関する情報を生成するものである。番号割当要求部１２４が生成した新規割り当て要求に関する情報は、通信部１２２からバリュー保持カード発券管理サーバ１００に送信される。バリュー保持カード発券管理サーバ１００から割り当てられたカード番号に関する情報が返信されてくると、当該カード番号の情報を番号保持部１２６に記録する。
【００４０】
番号保持部１２６は、本発明の識別情報保持部の一例であり、バリュー保持カード発券管理サーバ１００から送信されたカード番号に関する情報を保持しておくものである。番号保持部１２６に保持されたカード番号に基づいて、カード製造業者は新規のカードを製造する。
【００４１】
製造通知部１２８は、カード製造業者が新規のカードを製造した際に、当該新規製造カードのカード番号の情報を生成し、バリュー保持カード発券管理サーバ１００に通知するものである。製造通知部１２８で生成された新規製造カードのカード番号の情報は、通信部１２２からバリュー保持カード発券管理サーバ１００に送信される。
【００４２】
以上、本発明の一実施形態にかかるバリュー保持カード製造管理サーバ１２０の構成について説明した。次に、本発明の一実施形態にかかるバリュー保持カード管理システム１の動作の流れについて説明する。
【００４３】
〔４〕バリュー保持カード管理システムの動作の流れ
図５は、本発明の一実施形態にかかるバリュー保持カード管理システム１の動作の流れについて説明する流れ図である。以下、図５を用いて本発明の一実施形態にかかるバリュー保持カード管理システム１の動作の流れについて説明する。
【００４４】
バリュー保持カードをバリューイシュアが新規に発行する場合には、バリューイシュアが管理するバリュー保持カード発行管理サーバ１４０から、カード製造業者が管理するバリュー保持カード製造管理サーバ１２０に対して、カード製造依頼に関する情報を送信する（ステップＳ１００）。カード製造依頼に関する情報には、カードの新規発行枚数の情報を含んでいてもよい。
【００４５】
上記ステップＳ１００において、バリュー保持カード発行管理サーバ１４０からカード製造依頼に関する情報を受信したバリュー保持カード製造管理サーバ１２０は、番号割当要求部１２４においてカード番号割当要求を生成する（ステップＳ１０２）。バリュー保持カード発行管理サーバ１４０から送られてくるカード製造依頼に関する情報に、カードの新規発行枚数の情報が含まれていた場合には、割り当てるカード番号の数の情報をカード番号割当要求に含めてもよい。カード番号割当要求を生成すると、番号割当要求部１２４から通信部１２２を介して、バリュー保持カード発券管理サーバ１００に対して、上記ステップＳ１０２で生成したカード番号割当要求を送信する（ステップＳ１０４）。
【００４６】
バリュー保持カード製造管理サーバ１２０からカード番号割当要求を受信したバリュー保持カード発券管理サーバ１００は、ステータス管理部１０４において、バリュー保持カード製造管理サーバ１２０に対して割り当てるカード番号の情報を、バリュー管理データベース１０８から取得する。バリュー管理データベース１０８から取得するカード番号の条件としては、例えば、発番ステータスと発券ステータスがともに０であるレコードのカード番号を割り当て対象とする。バリュー保持カード製造管理サーバ１２０から送られてくるカード番号割当要求に、割り当てるカード番号の数の情報が含まれている場合には、その数だけカード番号を抽出する。そして、割り当てるカード番号の情報をバリュー管理データベース１０８から取得すると、ステータス管理部１０４は、バリュー管理データベース１０８の当該カード番号のレコードについてのみ、発番ステータスにフラグとして１（有効）を登録する（ステップＳ１０６）。
【００４７】
図６は、ステータス管理部１０４によって、バリュー管理データベース１０８の発番ステータスにフラグとして１（有効）が登録された場合の一例を示す説明図である。図６では、バリュー保持カード製造管理サーバ１２０に対して、「１００１」、「１００２」、「１００３」の３つのカード番号を割り当てた場合を示したものであり、ステータス管理部１０４によって、当該カード番号が記録されている３つのレコードの発番ステータスに１が登録されている。
【００４８】
バリュー管理データベース１０８に発番ステータスを登録すると、バリュー保持カード発券管理サーバ１００は、ステータス管理部１０４からカード番号の割当通知をバリュー保持カード製造管理サーバ１２０に送信する（ステップＳ１０８）。バリュー保持カード発券管理サーバ１００からバリュー保持カード製造管理サーバ１２０に送信されるカード番号の割当通知には、バリュー保持カード製造管理サーバ１２０に割り当てたカード番号に関する情報が含まれる。
【００４９】
バリュー保持カード発券管理サーバ１００からカード番号割当通知を受信すると、バリュー保持カード製造管理サーバ１２０は番号保持部１２６に割り当てられたカード番号の情報を保持する。そして、カード製造業者は、番号保持部１２６に保持されたカード番号の情報に基づいて、新規にカードを製造する（ステップＳ１１０）。カード製造業者が新規にカードを製造すると、バリュー保持カード製造管理サーバ１２０からバリュー保持カード発行管理サーバ１４０へカードの製造が完了した旨のカード製造完了通知を送信し（ステップＳ１１２）、製造したカードをカード製造業者からカードイシュアに納入する。
【００５０】
また、バリュー保持カード製造管理サーバ１２０は、カード製造完了通知をバリュー保持カード発券管理サーバ１００にも送信する（ステップＳ１１４）。バリュー保持カード製造管理サーバ１２０から送信するカード製造完了通知には、新規に製造したカードのカード番号の情報が含まれる。
【００５１】
バリュー保持カード製造管理サーバ１２０からカード製造完了通知を受信したバリュー保持カード発券管理サーバ１００は、ステータス管理部１０４において、カード製造完了通知に含まれているカード番号が格納されているバリュー管理データベース１０８のレコードに対して、発券ステータスにフラグとして１（有効）を登録する（ステップＳ１１６）。ステップＳ１１６において、ステータス管理部１０４が発券ステータスにフラグとして１を登録するのは、発番ステータスに１が登録されているレコードのみである。
【００５２】
図７は、ステータス管理部１０４によって、バリュー管理データベース１０８の発券ステータスにフラグとして１（有効）が登録された場合の一例を示す説明図である。ここでは、バリュー保持カード製造管理サーバ１２０に対して、「１００１」、「１００２」および「１００３」の３つのカード番号を割り当てたが、バリュー保持カード製造管理サーバ１２０から「１００１」、「１００２」および「１００４」のカード番号を有するカードを製造した旨のカード製造完了通知がバリュー保持カード発券管理サーバ１００に送信されてきた場合について示したものである。
【００５３】
この場合において、カード番号が「１００１」、「１００２」であるレコードは、発番ステータスが１であるので、ステータス管理部１０４は、カード製造業者において正常にカードが製造されたものと判断して、当該レコードの発券ステータスに１を登録する。一方、カード番号が「１００４」であるレコードは、発番ステータスが０であるので、ステータス管理部１０４は、カード製造業者において、カード番号が１００４で製造されたカードは製造ミスによって製造されたものと判断して、当該レコードの発券ステータスには１を登録しない。
【００５４】
このようにバリュー管理データベース１０８に発番ステータスと発券ステータスの情報を格納することで、カードが正常に製造されたかどうかをバリューイシュアで管理するバリュー保持カード発券管理サーバ１００で把握することができる。また、仮に製造ミスによって、バリューイシュアが割り当てていないカード番号を有するカードが市場に出てしまったとしても、当該カードが使用される際に発券ステータスを確認して、発券ステータスが有効になっていなければ、当該カードを使用させないように制御することが可能となる。
【００５５】
なお、上述した例では、別途カード製造業者からカード割当要求が送信されてくると、カード番号「１００４」は、発番ステータスが有効になっていないので割り当て対象となってしまい、製造ミスによって市場に出回ってしまった「１００４」のカード番号を有するカードと、将来的にカード番号がバッティングしてしまうおそれがある。従って、バリュー管理データベース１０８には別途「無効ステータス」を設けておき、ステータス管理部１０４は、割り当てていないカード番号でカード製造完了通知が送信されてきたものについては、当該カード番号のレコードの無効ステータスに１（無効）を設定するようにしてもよい。そして、カード番号をカード製造業者に割り当てる際には、発番ステータスが有効になっているレコードに加え、無効ステータスが無効になっているレコードも割当の対象外とするようにしてもよい。
【００５６】
図８は、本発明の一実施形態にかかるバリュー保持カード管理システム１において、バリュー保持カードが市場に出回り、カードリーダライタ１６０にバリュー保持カード１５０がかざされた場合の動作の流れについて説明する流れ図である。
【００５７】
カードリーダライタ１６０にバリュー保持カード１５０がかざされると、カードリーダライタ１６０はバリュー保持カード発券管理サーバ１００に対して、ステータス確認通知を送信する（ステップＳ１２２）。ステータス確認通知には、カードリーダライタ１６０にかざされたバリュー保持カード１５０にカード番号の情報が含まれる。
【００５８】
カードリーダライタ１６０からのステータス確認通知を受信したバリュー保持カード発券管理サーバ１００は、ステータス確認通知に含まれるカード番号が、バリュー管理データベース１０８において発券ステータスが有効として登録されているカード番号であるかどうかのステータス確認を行う（ステップＳ１２４）。本実施形態においては、ステップＳ１２４におけるステータス確認はバリュー管理部１０６が行う。
【００５９】
ステータス確認を行った結果は、ステータス確認結果通知として、バリュー保持カード発券管理サーバ１００からカードリーダライタ１６０に送られる（ステップＳ１２６）。ステータス確認結果通知を受信したカードリーダライタ１６０は、ステータス確認結果通知に基づいてその後の処理を行う。すなわち、発券ステータスが有効である旨のステータス確認結果通知を受信した場合には、かざされたバリュー保持カード１５０は有効であると判断し、その後の処理（例えば入金処理や支払い処理等）を続行するように制御することができる。一方、発券ステータスが無効である旨のステータス確認結果通知を受信した場合には、かざされたバリュー保持カード１５０は製造ミスによって発行されたカードであると判断し、その後の処理は行わないように制御することができる。
【００６０】
以上、本発明の一実施形態にかかるバリュー保持カード管理システム１の動作の流れについて説明した。なお、上述したバリュー保持カード管理システム１の動作については、バリュー保持カード管理システム１を構成するサーバやカードリーダライタの内部に格納されたコンピュータプログラムを、当該サーバやカードリーダライタに備えられるＣＰＵ（Ｃｅｎｔｒａｌ  Ｐｒｏｃｅｓｓｉｎｇ  Ｕｎｉｔ）その他の制御装置が順次読み出して実行することによって行われるようにしてもよい。
【００６１】
なお、本実施形態では、バリューを中央で一括管理するＯｎｌｉｎｅ型を前提としているが、本発明はＯｎｌｉｎｅ型に限られず、Ｓｔｏｒｅｄ  Ｖａｌｕｅ型（Ｏｆｆｌｉｎｅ型）にも適用可能である。Ｓｔｏｒｅｄ  Ｖａｌｕｅ型（Ｏｆｆｌｉｎｅ型）に本発明を適用する場合には、例えば、発番ステータスが有効ではないカード番号においてカードの製造がなされた旨を、バリュー保持カード発券管理サーバ１００からバリュー保持カード発行管理サーバ１４０に送信する。バリュー保持カード発行管理サーバ１４０において製造ミスによって製造されたカードのカード番号を特定することで、カードを市場に流通させる前に、製造ミスによって製造されてしまったカードの流通を止めることができる。
【００６２】
また、本実施形態では、バリュー保持カード発券管理サーバ１００において発券ステータスを更新する際に発番ステータスを確認し、発番ステータスが有効になっているカード番号のレコードに限り、発券ステータスを有効とするように制御していたが、本発明はかかる例に限定されない。
【００６３】
例えば、バリュー保持カード発券管理サーバ１００において発券ステータスを更新する際に、当該カード番号のレコードの発番ステータスが有効であるか否かに関わらず、発券ステータスを有効に更新するように制御してもよい。そして、かかる制御を行う場合には、カードリーダライタ１６０からのステータス確認通知を受信したバリュー保持カード発券管理サーバ１００は、ステータス確認通知に含まれるカード番号が、発番ステータスと発券ステータスのいずれもが有効であるものとしてバリュー管理データベース１０８に登録されているカード番号であるかどうかのステータス確認を行ってもよい。このように発番ステータスや発券ステータスの更新を制御することによっても、製造ミスによって発行され、市場に流通してしまったバリュー保持カードがカードリーダライタにかざされた場合に、当該バリュー保持カードの使用を禁止することができる。
【００６４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６５】
例えば、図５においてバリュー管理データベース１０８へ発券ステータスを登録した際に、発番ステータスが０であるカード番号に対してカードの製造が行われた旨の通知がバリュー保持カード製造管理サーバ１２０から送信された場合には、そのようなカード番号の情報を、バリュー保持カード発券管理サーバ１００からバリュー保持カード製造管理サーバ１２０へ送信してもよい。かかる情報をバリュー保持カード発券管理サーバ１００からバリュー保持カード製造管理サーバ１２０へ送信することで、製造したカードをカードイシュアへ納入する際に、カード製造業者において製造ミスが無かったかどうかのチェック機能として働かせることが可能となる。
【産業上の利用可能性】
【００６６】
本発明は、バリュー保持カード発券管理サーバ、バリュー保持カード発券管理方法、コンピュータプログラムおよびバリュー保持カード発券管理システムに適用可能である。
【図面の簡単な説明】
【００６７】
【図１】本発明の一実施形態にかかるバリュー保持カード管理システム１の構成について説明する説明図である。
【図２】本発明の一実施形態にかかるバリュー保持カード発券管理サーバ１００の構成について説明する説明図である。
【図３】本発明の一実施形態にかかるバリュー管理データベース１０８のデータ構造について示す説明図である。
【図４】本発明の一実施形態にかかるバリュー保持カード製造管理サーバ１２０の構成について説明する説明図である。
【図５】本発明の一実施形態にかかるバリュー保持カード管理システム１の動作の流れについて説明する流れ図である。
【図６】バリュー管理データベース１０８の発番ステータスにフラグとして１（有効）が登録された場合の一例を示す説明図である。
【図７】バリュー管理データベース１０８の発券ステータスにフラグとして１（有効）が登録された場合の一例を示す説明図である。
【図８】カードリーダライタ１６０にバリュー保持カード１５０がかざされた場合の動作の流れについて説明する流れ図である。
【符号の説明】
【００６８】
１    カード管理システム
１００    バリュー保持カード発券管理サーバ
１０２    通信部
１０４    ステータス管理部
１０６    バリュー管理部
１０８    バリュー管理データベース
１２０    バリュー保持カード製造管理サーバ
１２２    通信部
１２４    番号割当要求部
１２６    番号保持部
１２８    製造通知部
１４０    バリュー保持カード発行管理サーバ
１５０    バリュー保持カード
１６０    カードリーダライタ
【図１】
2010055208.tif 000003
【図２】
2010055208.tif 000004
【図３】
2010055208.tif 000005
【図４】
2010055208.tif 000006
【図５】
2010055208.tif 000007
【図６】
2010055208.tif 000008
【図７】
2010055208.tif 000009
【図８】
2010055208.tif 000010